(57)【特許請求の範囲】
【請求項１】
開閉可能なドアを具備しているハウジングと、前記ハウジングの内部に設置されており、浄水器に水を供給するため原水を貯蔵する原水タンクと、前記ハウジングの内部に設置されており、前記原水タンクに貯蔵された原水を浄水器に圧送するポンプと、前記原水タンクと前記浄水器を連結する供給流路に設置されており、前記浄水器に供給される水の圧力によりスイッチを開閉して前記ポンプの作動を制御する圧力スイッチとを含み、
前記原水タンクは、上下に積層される第一原水タンクおよび第二原水タンクを含み、
前記第一原水タンクは、上部に開閉可能なキャップを具備しているとともに、下部に排出流路を具備しており、
前記第二原水タンクは、上部に流入流路を具備しているとともに、下部に排出流路を具備しており、
前記第一原水タンクの排出流路と前記第二原水タンクの流入流路とが連結されることにより、前記第一原水タンクおよび前記第二原水タンクが互いに連通しており、
前記第一原水タンクおよび前記第二原水タンクは、上部一側に内部の水が円滑に供給および遮断されるようにする通気孔を具備しており、前記通気孔には、フローティングバルブが具備されていることを特徴とする浄水器用原水供給装置。
【請求項２】
前記第一原水タンクおよび前記第二原水タンクは、下部の前記排出流路に原水の流出を防止する遮断バルブを具備していることを特徴とする請求項１に記載の浄水器用原水供給装置。
【請求項３】
前記第二原水タンクは、下部の前記排出流路に原水の逆流を防止する逆流防止バルブを具備していることを特徴とする請求項１または２に記載の浄水器用原水供給装置。
【請求項４】
前記ハウジングの内部に設置されており、前記浄水器でフィルターを通って生成される廃棄水を貯蔵する廃水タンクをさらに含むことを特徴とする請求項１乃至３のいずれかに記載の浄水器用原水供給装置。
【請求項５】
前記ハウジングの内部に設置されており、前記廃水タンクの水位を感知する廃水水位感知センサーをさらに含むことを特徴とする請求項４に記載の浄水器用原水供給装置。
【請求項６】
前記ドアは、前記ハウジングの前後方向にスライドして開閉されうるように設置されており、前記ドアの内側にはトレーが一体に具備されており、前記原水タンクおよび前記廃水タンクは、前記トレーに載置されていることを特徴とする請求項４または５に記載の浄水器用原水供給装置。
【請求項７】
前記原水タンクが載置されているか否かを感知する原水タンク感知センサーと、前記原水タンク内部の原水の有無を感知する原水感知センサーと、前記廃水タンクとの接触を通じ、前記廃水タンクが載置されているか否かおよび前記ドアが閉鎖されているか否かを感知する廃水タンク感知センサーと、前記原水タンク感知センサー、前記原水感知センサー、前記廃水タンク感知センサーの感知結果に基づいて前記ポンプの作動を制御する制御部とをさらに含むことを特徴とする請求項４乃至６のいずれかに記載の浄水器用原水供給装置。
【請求項８】
前記原水タンクの有無、前記原水タンク内部の水の有無、前記廃水タンクの有無、前記廃水タンクの水位および前記ポンプの作動状態に関する情報を表示するＬＥＤ表示部をさらに含むことを特徴とする請求項４乃至７のいずれかに記載の浄水器用原水供給装置。
【発明の詳細な説明】
【技術分野】
【０００１】
本発明は、室内または室外で使用される浄水器に適用される原水供給装置、すなわち浄水器用原水供給装置に関するものである。
【背景技術】
【０００２】
一般的に、この種の浄水器は、水道配管に連結されて原水が供給された後、この原水を浄化して使用者に浄水（浄化された水）を供給する機能を備えている。そのため、この浄水器は、原水を浄化するためのフィルターと、このフィルターで浄化された水（浄水）を使用者に提供するための貯水容器などから構成されている。そして、この貯水容器に保存された浄水の水位を基に原水遮断バルブを動作させて原水供給を調節している（例えば、特許文献１、２参照）。
【先行技術文献】
【特許文献】
【０００３】
【特許文献１】韓国公開特許第１０−１９９８−００３０３７９号公報
【特許文献２】韓国公開特許第１０−２０１１−０１２８６３５号公報
【発明の概要】
【発明が解決しようとする課題】
【０００４】
したがって、浄水器を水道配管に連結することが難しい環境では、浄水器に原水を円滑に供給しにくいため、浄水器を使用することが難しくなる。また、原水供給の調節が浄水の水位に基づいて行われることから、原水遮断バルブの開閉によって原水が浄水器に供給されることにより、浄水器内に流入する原水の圧力が高くなるため、浄水器の部品が損傷して浄水器が故障することがある。さらに、浄水器内に流入する原水の圧力を調節しにくい場合がある。
【０００５】
本発明は、このような不都合を解消することが可能な浄水器用原水供給装置を提供することを目的とする。
【課題を解決するための手段】
【０００６】
かかる目的を達成するため、請求項１に記載の発明は、開閉可能なドアを具備しているハウジングと、前記ハウジングの内部に設置されており、浄水器に水を供給するため原水を貯蔵する原水タンクと、前記ハウジングの内部に設置されており、前記原水タンクに貯蔵された原水を浄水器に圧送するポンプと、前記原水タンクと前記浄水器を連結する供給流路に設置されており、前記浄水器に供給される水の圧力によりスイッチを開閉して前記ポンプの作動を制御する圧力スイッチとを含み、前記原水タンクは、上下に積層される第一原水タンクおよび第二原水タンクを含み、前記第一原水タンクは、上部に開閉可能なキャップを具備しているとともに、下部に排出流路を具備しており、前記第二原水タンクは、上部に流入流路を具備しているとともに、下部に排出流路を具備しており、前記第一原水タンクの排出流路と前記第二原水タンクの流入流路とが連結されることにより、前記第一原水タンクおよび前記第二原水タンクが互いに連通しており、前記第一原水タンクおよび前記第二原水タンクは、上部一側に内部の水が円滑に供給および遮断されるようにする通気孔を具備しており、前記通気孔には、フローティングバルブが具備されている浄水器用原水供給装置としたことを特徴とする。
【０００８】
また、請求項２に記載の発明は、請求項１に記載の構成に加え、前記第一原水タンクおよび前記第二原水タンクは、下部の前記排出流路に原水の流出を防止する遮断バルブを具備していることを特徴とする。
【０００９】
また、請求項３に記載の発明は、請求項１または２に記載の構成に加え、前記第二原水タンクは、下部の前記排出流路に原水の逆流を防止する逆流防止バルブを具備していることを特徴とする。
【００１１】
また、請求項４に記載の発明は、請求項１乃至３のいずれかに記載の構成に加え、前記ハウジングの内部に設置されており、前記浄水器でフィルターを通って生成される廃棄水を貯蔵する廃水タンクをさらに含むことを特徴とする。
【００１２】
また、請求項５に記載の発明は、請求項４に記載の構成に加え、前記ハウジングの内部に設置されており、前記廃水タンクの水位を感知する廃水水位感知センサーをさらに含むことを特徴とする。
【００１３】
また、請求項６に記載の発明は、請求項４または５に記載の構成に加え、前記ドアは、前記ハウジングの前後方向にスライドして開閉されうるように設置されており、前記ドアの内側にはトレーが一体に具備されており、前記原水タンクおよび前記廃水タンクは、前記トレーに載置されていることを特徴とする。
【００１４】
また、請求項７に記載の発明は、請求項４乃至６のいずれかに記載の構成に加え、前記原水タンクが載置されているか否かを感知する原水タンク感知センサーと、前記原水タンク内部の原水の有無を感知する原水感知センサーと、前記廃水タンクとの接触を通じ、前記廃水タンクが載置されているか否かおよび前記ドアが閉鎖されているか否かを感知する廃水タンク感知センサーと、前記原水タンク感知センサー、前記原水感知センサー、前記廃水タンク感知センサーの感知結果に基づいて前記ポンプの作動を制御する制御部とをさらに含むことを特徴とする。
【００１５】
さらに、請求項８に記載の発明は、請求項４乃至７のいずれかに記載の構成に加え、前記原水タンクの有無、前記原水タンク内部の水の有無、前記廃水タンクの有無、前記廃水タンクの水位および前記ポンプの作動状態に関する情報を表示するＬＥＤ表示部をさらに含むことを特徴とする。
【発明の効果】
【００１６】
本発明に係る浄水器用原水供給装置によれば、原水タンクから浄水器に原水をポンプで圧送することができるので、浄水器を水道配管に連結することが難しい環境でも、浄水器に原水を円滑に供給することが可能な浄水器用原水供給装置を提供することができる。
【００１７】
また、浄水器に供給される水の圧力に基づいて圧力スイッチでポンプの作動を制御することができるので、浄水器内に流入する原水の圧力を抑制することにより、浄水器の部品の損傷による故障を未然に防止することが可能となる。さらに、浄水器内に流入する原水の圧力を調節することが容易になる。
【図面の簡単な説明】
【００１８】
【図１】本発明の実施の形態１に係る浄水器用原水供給装置が浄水器に連結された状態を概略的に示す構成図である。
【図２】同実施の形態１に係る浄水器用原水供給装置の斜視図である。
【図３】同実施の形態１に係る浄水器用原水供給装置の正面図である。
【図４】図３のＢ−Ｂ線による断面図である。
【図５】同実施の形態１に係る浄水器用原水供給装置のドアが開放された状態を示す斜視図である。
【図６】図５の側面図である。
【図７】図６のＡ−Ａ線による断面図である。
【発明を実施するための形態】
【００１９】
以下、本発明の実施の形態について説明する。
【００２０】
図１乃至図７には、本発明の実施の形態１を示す。なお、この実施の形態１において、構成要素の用語は、その構成要素の機能を考慮して命名したものであるため、本発明の技術的範囲を限定する意味で理解してはならない。
【００２１】
図１を参照すると、この実施の形態１に係る浄水器用原水供給装置１００は、原水タンク１１０に貯蔵された原水を浄水器２００に供給するための装置であり、原水タンク１１０、ポンプ１２０、圧力スイッチ１３０、アダプタ１４０および圧力タンク１５０を含めて構成される。
【００２２】
原水タンク１１０は、浄水器２００に供給される原水が貯蔵される容器であり、第一原水タンク１１０Ａおよび第二原水タンク１１０Ｂで成り立ち、内部に貯蔵された原水をポンプ１２０側に供給する。
【００２３】
ポンプ１２０は、原水タンク１１０の原水を浄水器２００に圧送して供給する。
【００２４】
圧力スイッチ１３０は、浄水器２００に供給される水の圧力によってスイッチを開閉し、ポンプ１２０の動作を制御する。ここで、圧力スイッチ１３０は、浄水器２００に供給される水の圧力が予め定められた圧力以上の場合にスイッチを開放し、ポンプ１２０の動作を停止させることができ、予め定められた圧力未満の場合には、スイッチを閉鎖し、ポンプ１２０を稼動させることができる。例えば、予め定められた圧力は、約０．５ｋｇ／ｃｍ 2〜約６．０ｋｇ／ｃｍ 2（つまり、約４．９Ｎ／ｃｍ 2〜約５８．８Ｎ／ｃｍ 2）にすることができ、このような範囲にあると、浄水器に原水を適切な水圧で円滑に供給することができる。
【００２５】
アダプタ１４０は、ポンプ１２０に入力される電圧を定格電圧に変換する。例えば、浄水器用原水供給装置１００を作動させるため、浄水器用原水供給装置１００のプラグ１０６が１００Ｖ〜２５０Ｖの交流電圧が供給されるコンセントに連結された場合、アダプタ１４０は、交流電圧をポンプ１２０を作動させるための定格電圧２４Ｖの直流電圧に変換させることができる。
【００２６】
圧力タンク１５０は、ポンプ１２０から圧送された原水を一時的に貯蔵する。
【００２７】
図５乃至図７を参照すると、原水タンク１１０は、上下に積層される第一原水タンク１１０Ａおよび第二原水タンク１１０Ｂを含める。そして、第一原水タンク１１０Ａは、上部に開閉可能なキャップ１１１を具備し、下部に排出流路１１２を具備する。また、第二原水タンク１１０Ｂは、上部に流入流路１１３を具備し、下部に排出流路１１２を具備する。ここで、第一原水タンク１１０Ａと第二原水タンク１１０Ｂが積層されると、第一原水タンク１１０Ａの排出流路は、第二原水タンク１１０Ｂの流入流路１１３に連結され、第一原水タンク１１０Ａと第二原水タンク１１０Ｂとが互いに連通する。
【００２８】
一方、第一原水タンク１１０Ａと第二原水タンク１１０Ｂは、上部に回動ができるように設置された取っ手１１４が具備される。この取っ手１１４が回動されて原水タンク１１０に密着すると、原水タンク１１０と取っ手１１４は全体的に六面体形状になる。すなわち、取っ手１１４は、原水タンク１１０および別の構成要素と干渉しないように構成される。
【００２９】
図４および図７を参照すると、第一原水タンク１１０Ａと第二原水タンク１１０Ｂは、それぞれ、内部の原水の流出を防止する遮断バルブ１１５を具備する。遮断バルブ１１５は、第一原水タンク１１０Ａと第二原水タンク１１０Ｂの下部に具備された排出流路１１２の上部に設置される。
【００３０】
そして、第一原水タンク１１０Ａは、第二原水タンク１１０Ｂの上側に載置された状態では、遮断バルブ１１５が上昇して遮断機能が発揮されないため、排出流路１１２が開放されて第二原水タンク１１０Ｂと互いに連通し、第二原水タンク１１０Ｂの上側に載置されていない状態では、第一原水タンク１１０Ａの内部に原水が入っている場合、この原水の圧力とスプリングの力により、遮断バルブ１１５が下降して遮断機能が発揮されるため、排出流路１１２が閉鎖されて内部の原水の流出が防止される。
【００３１】
また、第二原水タンク１１０Ｂは、トレー１０５上に載置された状態では、遮断バルブ１１５が上昇して遮断機能が発揮されないため、排出流路１１２が開放されて浄水器２００に原水を供給可能となり、トレー１０５上に載置されていない状態では、第二原水タンク１１０Ｂの内部に原水が入っている場合、この原水の圧力とスプリングの力により、遮断バルブ１１５が下降して遮断機能が発揮されるため、排出流路１１２が閉鎖されて内部の原水の流出が防止される。
【００３２】
また、第二原水タンク１１０Ｂは、逆流防止バルブ１１６を具備する。逆流防止バルブ１１６は、第二原水タンク１１０Ｂの下部に具備された排出流路１１２の下部に設置される。すなわち、逆流防止バルブ１１６は、第二原水タンク１１０Ｂに具備された遮断バルブ１１５の下に設置される。この逆流防止バルブ１１６は、第一原水タンク１１０Ａからポンプ１２０側に排出される原水が再び第一原水タンク１１０Ａ側に流入するのを防止する。
【００３３】
図７を参照すると、第一原水タンク１１０Ａと第二原水タンク１１０Ｂは、内部の水が円滑に供給および遮断されるように通気孔１１７が具備される。この通気孔１１７は、原水タンク１１０の上部一側に、正確にはキャップ１１１の一側に形成される。そして、この通気孔１１７の内部にはフローティングバルブ１１８が具備される。このフローティングバルブ１１８は原水タンク１１０内部の原水により浮遊し、原水の水位により通気孔１１７を開放または遮断する。
【００３４】
図４乃至図７を参照すると、本発明による浄水器用原水供給装置１００は、ハウジング１０１の内部に設置される廃水タンク１６０がさらに含まれる。廃水タンク１６０は、原水タンク１１０と隣接して設置され、浄水器２００でフィルター、例えば逆浸透膜フィルターを通過した後に生成される廃水を貯蔵する役割を果たす。この廃水タンク１６０は、原水タンク１１０と同じように、上部に開閉可能なキャップ１６１が設置され、下部に遮断バルブ１６２および逆流防止バルブ１６３が設置される。また、廃水タンク１６０は、原水タンク１１０の取っ手１１４と同じ構造の取っ手１６４を具備する。
【００３５】
また、ハウジング１０１の内壁には、廃水タンク１６０の内部の水位を感知する廃水水位感知センサー１７１が設置される。この廃水水位感知センサー１７１としては、例えば、廃水タンク１６０側に赤外線を照射する赤外線センサーを採用することができる。このような廃水水位感知センサー１７１の感知結果に基づいて、廃水タンク１６０を空ける時期を知ることができる。
【００３６】
一方、図５および図６を参照すると、ハウジング１０１に設置されたドア１０２は、ハウジング１０１の内部から前後方向にスライドして開閉されうるように構成される。そのため、このドア１０２は、ハウジング１０１の内側壁に沿って水平方向に案内されるスライディングラック１０３を具備し、スライディングラック１０３の前方下側には車輪１０４が具備される。そして、ドア１０２の内側でスライディングラック１０３の上部にはトレー（受け台）１０５が一体で具備される。また、前述した原水タンク１１０および廃水タンク１６０は、このトレー１０５上に載置され、ドア１０２の開放時にハウジング１０１の外部に引き出される。
【００３７】
再び図４および図７を参照すると、本発明による浄水器用原水供給装置１００は、原水タンク１１０が載置されているか否かを感知する原水タンク感知センサー１７２、原水タンク１１０の内部の原水の有無を感知する原水感知センサー１７３、廃水タンク１６０が載置されているか否かを感知する廃水タンク感知センサー１７４、ドア１０２の開閉を感知するドア感知センサーを具備する。
【００３８】
原水タンク感知センサー１７２は、ハウジング１０１の前方側内壁上に設置され、原水タンク１１０がトレー１０５に載置されたとき、原水タンク１１０と接触して原水タンク１１０が載置されているか否かを感知する。原水感知センサー１７３は、第二原水タンク１１０Ｂの下部に具備された排出流路１１２上に設置され、この排出流路１１２を通過する原水の有無を感知する。廃水タンク感知センサー１７４は、ハウジング１０１の後方側内壁上に設置され、廃水タンク１６０と接触して廃水タンク１６０が載置されているか否かを感知する。一方、ドア感知センサーは、別途のセンサーでハウジング１０１に具備することも可能であるが、本発明では、廃水タンク感知センサー１７４を通じてドア感知センサーの役割を果たすことができる。例えば、廃水タンク感知センサー１７４は、廃水タンク１６０と接触した場合、ドア１０２が閉鎖されたと判断することができる。すなわち、廃水タンク感知センサー１７４は、廃水タンク１６０が接触しているか否かを通じて廃水タンク１６０が載置されているか否かおよびドア閉鎖状態を感知することができる。
【００３９】
また、本発明による浄水器用原水供給装置１００は、前述した原水タンク感知センサー１７２、原水感知センサー１７３、廃水タンク感知センサー１７４の感知結果に基づいてポンプ１２０の作動を制御する制御部（図示せず）を含める。
【００４０】
望ましくは、図２、図５および図６を参照すると、本発明による浄水器用原水供給装置１００は、前述した制御部からの指令に基づいて、前述した原水タンク感知センサー１７２、原水感知センサー１７３、廃水水位感知センサー１７１、廃水タンク感知センサー１７４の感知結果に基づく現在状況を表示するＬＥＤ（発光ダイオード）表示部１８０を含める。すなわち、ＬＥＤ表示部１８０は、原水タンク１１０が載置されているか否か、原水タンク１１０内部の原水の有無、廃水タンク１６０の水位、廃水タンク１６０が載置されているか否かおよびポンプ１２０の作動状態などに関する情報を表示することができる。
【００４１】
浄水器用原水供給装置１００は以上のような構成を有するので、この浄水器用原水供給装置１００を用いて浄水器２００に原水を供給する際には、図１に示すように、浄水器用原水供給装置１００が浄水器２００に連結された状態で、ポンプ１２０の作動により、原水タンク１１０の内部の原水が排出流路１１２から排出され、圧力タンク１５０および圧力スイッチ１３０を順に経由して浄水器２００に圧送されて供給される。
【００４２】
なお、このとき、第一原水タンク１１０Ａと第二原水タンク１１０Ｂとは、上述したとおり、上下に積層されて互いに連通しているので、第二原水タンク１１０Ｂの内部の原水が排出流路１１２から排出された分だけ第一原水タンク１１０Ａから第二原水タンク１１０Ｂに原水が供給される。したがって、浄水器用原水供給装置１００の使用に伴って第一原水タンク１１０Ａの内部の原水が減少するが、第一原水タンク１１０Ａが空になるまでは、第二原水タンク１１０Ｂは満水状態を維持する。
【００４３】
このように、この浄水器用原水供給装置１００では、原水タンク１１０から浄水器２００に原水をポンプ１２０で圧送することができるので、浄水器２００を水道配管に連結することが難しい環境でも、浄水器２００に原水を円滑に供給することが可能となる。
【００４４】
また、浄水器用原水供給装置１００には、圧力タンク１５０から浄水器２００に至る給水経路上に圧力スイッチ１３０が設けられているため、この圧力スイッチ１３０により、浄水器２００に供給される水の圧力に基づいてポンプ１２０の作動を制御することができる。したがって、浄水器２００内に流入する原水の圧力を抑制することにより、浄水器２００の部品の損傷による故障を未然に防止することが可能となる。さらに、浄水器２００内に流入する原水の圧力を調節することが容易になる。
【００４５】
さらに、浄水器用原水供給装置１００には、ポンプ１２０から圧力スイッチ１３０に至る給水経路上に圧力タンク１５０が設けられているため、この圧力タンク１５０により、ポンプ１２０から圧送された原水が圧力スイッチ１３０を通過する前に、この原水を一時的に貯蔵することができる。したがって、圧力スイッチ１３０とポンプ１２０から反復起動によって発生する騒音を減らすとともに、ポンプ１２０による脈動現象を低減することが可能となる。その結果、脈動現象による圧力スイッチ１３０とポンプ１２０の動作を最小化し、浄水器用原水供給装置１００の部品の使用寿命を延ばすことができる。
【００４６】
また、原水タンク１１０には、上述したとおり、その上部一側に通気孔１１７が形成されているので、排出流路１１２からの原水の排出動作、ひいては、浄水器２００への原水の供給動作を円滑に行うことができる。
【００４７】
また、この浄水器用原水供給装置１００の使用に伴い、原水タンク１１０の内部の原水が減少して第一原水タンク１１０Ａが空になったときには、それを原水感知センサー１７３が感知し、前述した制御部からの指令に基づいて、第一原水タンク１１０Ａが空になった旨の状況がＬＥＤ表示部１８０に表示される。この表示を見て、使用者は原水タンク１１０に原水を補給する。
【００４８】
このとき、浄水器用原水供給装置１００は、上述したとおり、原水タンク１１０が上下に積層される第一原水タンク１１０Ａおよび第二原水タンク１１０Ｂから構成されており、その使用に伴って上側の第一原水タンク１１０Ａから下側の第二原水タンク１１０Ｂへ原水が供給される。したがって、原水タンク１１０への原水の補給作業は、第一原水タンク１１０Ａが空になった時点で、第二原水タンク１１０Ｂは置いたまま、第一原水タンク１１０Ａのみに原水を補給すれば済む。具体的には、ドア１０２を開けて空の第一原水タンク１１０Ａをハウジング１０１から取り出し、この第一原水タンク１１０Ａに原水供給源（水道配管など）から原水を補給した後、この第一原水タンク１１０Ａをハウジング１０１に戻してドア１０２を閉める。
【００４９】
そのため、第一原水タンク１１０Ａおよび第二原水タンク１１０Ｂが一体化された原水タンク１１０（以下、これを「一体型タンク」という。）を備えている場合に比べて、原水タンク１１０への原水の補給作業を円滑に行うことができる。すなわち、一体型タンクより低くなるので、例えば、シンク（台所の流しの水槽）で水道の蛇口から原水を補給する場合には、このシンクに設置しやすくなるため、原水の補給作業が容易になる。その上、原水が補給された第一原水タンク１１０Ａを浄水器用原水供給装置１００まで持ち運ぶときには、一体型タンクより軽量化されるので、非力な女性や子供でも楽に持ち運ぶことができる。
【００５０】
また、第一原水タンク１１０Ａには、上述したとおり、通気孔１１７にフローティングバルブ１１８が設けられており、このフローティングバルブ１１８が原水の補給によって上昇して通気孔１１７を遮断するので、第一原水タンク１１０Ａを持ち運ぶ際に、原水が通気孔１１７から流れ出してしまう不都合を回避することができる。
【００５１】
さらに、この浄水器用原水供給装置１００では、原水タンク１１０がドア１０２の後方の近傍に配置されているので、ドア１０２を少し引き出して開けるだけで原水タンク１１０を出し入れすることができる。その結果、原水タンク１１０への原水の補給作業を迅速に行うことができる。
【００５２】
また、この浄水器用原水供給装置１００では、原水タンク１１０および廃水タンク１６０がドア１０２の後方に前後に並んで配置されているので、原水タンク１１０と廃水タンク１６０のいずれの一方を出し入れするときも他方が邪魔するようなことはなく、原水タンク１１０および廃水タンク１６０を容易に出し入れすることができる。
【００５３】
なお、ここで説明した本発明の実施例は、本発明の技術思想を例示的に見せたに過ぎず、本発明の技術的範囲は、特許請求範囲により解釈されるのが望ましい。また、本発明が属する技術分野で通常の知識を有する者なら、本発明の本質的な特性から離脱してない範囲で多様な修正および変形が可能であるので、本発明と同等な範囲内にあるすべての技術思想は、本発明の技術的範囲に含まれると解釈すべきである。
【産業上の利用可能性】
【００５４】
本発明は、室内または室外で使用される各種の浄水器に広く適用することができる。
【符号の説明】
【００５５】
１００……浄水器用原水供給装置
１０１……ハウジング
１０２……ドア
１０５……トレー
１１０……原水タンク
１１０Ａ……第一原水タンク
１１０Ｂ……第二原水タンク
１１１……キャップ
１１２……排出流路
１１３……流入流路
１１５……遮断バルブ
１１６……逆流防止バルブ
１１７……通気孔
１１８……フローティングバルブ
１２０……ポンプ
１３０……圧力スイッチ
１６０……廃水タンク
１７１……廃水水位感知センサー
１７２……原水タンク感知センサー
１７３……原水感知センサー
１７４……廃水タンク感知センサー
１８０……ＬＥＤ表示部
２００……浄水器
【要約】
【課題】浄水器用原水供給装置において、浄水器を水道配管に連結することが難しい環境でも、浄水器に原水を円滑に供給できるようにする。
【解決手段】この浄水器用原水供給装置１００は、開閉可能なドアを具備しているハウジング１０１と、浄水器２００に水を供給するため原水を貯蔵する原水タンク１１０とを含んでいる。さらに、原水タンク１１０に貯蔵された原水を浄水器２００に圧送するポンプ１２０と、浄水器２００に供給される水の圧力によりスイッチを開閉してポンプ１２０の作動を制御する圧力スイッチ１３０とを含んでいる。原水タンク１１０は、上下に積層される第一原水タンク１１０Ａおよび第二原水タンク１１０Ｂを含んでいる。
【選択図】図１【図１】
0006009707.tif 000002
【図２】
0006009707.tif 000003
【図３】
0006009707.tif 000004
【図４】
0006009707.tif 000005
【図５】
0006009707.tif 000006
【図６】
0006009707.tif 000007
【図７】
0006009707.tif 000008